(57)【特許請求の範囲】
【請求項１】
送信媒体を介して特定の第１サンプリング周波数を有するデジタル情報信号を送信する送信機において、
前記特定の第１サンプリング周波数を有する前記デジタル情報信号を受信する入力手段と、
前記第１サンプリング周波数よりも低い特定の第２サンプリング周波数を有する低域濾波されたバージョンの前記デジタル情報信号を得るために前記デジタル情報信号の低域濾波及びダウンサンプリングを実施する第１フィルタ手段と、
前記第１フィルタ手段により前記デジタル情報信号に対して実施される信号処理と同様の信号処理を前記デジタル情報信号に実施し、次いで、前記第１サンプリング周波数に略々等しい特定の第３サンプリング周波数を有するアップサンプリングされたバージョンの前記デジタル情報信号を得るため、アップサンプリングする第２フィルタ手段と、
第２の濾波されたバージョンの前記デジタル情報信号を得るために前記アップサンプリングされたバージョンの前記デジタル情報信号の濾波を実施する第３フィルタ手段と、
差信号を得るために前記デジタル情報信号と前記第２の濾波されたバージョンの前記デジタル情報信号とを合成する第１信号合成手段と、
前記送信媒体を介した送信用の送信信号を得るために前記低域濾波されたバージョンの前記デジタル情報信号と前記差信号とを合成する第２信号合成手段と、
を有する送信機。
【請求項２】
請求項１に記載の送信機において、
データ圧縮された差信号を得るために前記差信号をデータ圧縮するデータ圧縮手段が設けられ、前記第２信号合成手段が前記送信媒体を介して送信する前記送信信号を得るために前記低域濾波されたバージョンの前記デジタル情報信号とデータ圧縮された前記差信号とを合成することを特徴とする送信機。
【請求項３】
請求項１または２に記載の送信機において、
データ圧縮及び低域濾波されたバージョンの前記デジタル情報信号を得るために前記低域濾波されたバージョンの前記デジタル情報信号をデータ圧縮するためのデータ圧縮手段が設けられ、前記第２信号合成手段が前記送信媒体を介して送信される前記送信信号を得るために前記データ圧縮及び低域濾波されたバージョンの前記デジタル情報信号と前記差信号（データ圧縮されていてもよい）の合成に適応されることを特徴とする送信機。
【請求項４】
請求項１乃至３の何れか一項に記載の送信機において、
前記第３フィルタ手段が適応予測フィルタ手段であることを特徴とする送信機。
【請求項５】
請求項４に記載の送信機において、
前記適応予測フィルタ手段が予測フィルタ係数を生成し、前記第２合成手段が前記送信信号を得るために前記予測フィルタ係数の合成に適応されることを特徴とする送信機。
【請求項６】
請求項２又は３に記載の送信機において、
前記データ圧縮手段がエントロピ符号化手段を有することを特徴とする送信機。
【請求項７】
請求項２又は３に記載の送信機において、
前記データ圧縮手段が第２予測フィルタ手段及びエントロピ符号化手段を有することを特徴とする送信機。
【請求項８】
請求項６又は７に記載の送信機において、
前記エントロピ符号化手段がハフマン符号器であることを特徴とする送信機。
【請求項９】
請求項１乃至８の何れか一項に記載の送信機において、
前記第１サンプリング周波数が１９２kHzで、前記第２サンプリング周波数が９６kHzであることを特徴とする送信機。
【請求項１０】
請求項１乃至９の何れか一項に記載の送信機において、
記録担体に前記デジタル情報信号を記録する装置であることを特徴とする送信機。
【請求項１１】
請求項１０に記載の送信機により得られる記録担体。
【請求項１２】
請求項１１に記載の記録担体において、
光学又は磁気記録形式であることを特徴とする記録担体。
【請求項１３】
請求項１乃至１０の何れか一項に記載の送信機により生成された送信信号を送信媒体から受信しかつ、当該送信信号から第１サンプリング周波数を持つデジタル情報信号を生成する受信機において、
前記送信媒体から前記送信信号を取得する取得手段と、
前記送信信号から前記低域濾波されたバージョンの前記デジタル情報信号及び前記差信号を取り出すデマルチプレクサ手段と、
前記第１サンプリング周波数に略々等しい特定の第３サンプリング周波数を有するアップサンプリングされたバージョンの前記デジタル情報信号を得るため、前記低域濾波されたバージョンの前記デジタル情報信号をアップサンプリングするアップサンプリング手段と、
濾波されたバージョンの前記デジタル情報信号を得るために前記アップサンプリングされたバージョンの前記デジタル情報信号の濾波を実施するフィルタ手段と、
前記デジタル情報信号を得るために、前記濾波されたバージョンの前記デジタル情報信号と前記差信号とを合成する信号合成手段と、
を有する受信機。
【請求項１４】
請求項１３に記載の受信機において、
前記デマルチプレクサ手段が前記送信信号からデータ圧縮された差信号を取得するように適応され、
データ伸張された差信号を得るためにデータ伸張手段を備えたことを特徴とする受信機。
【請求項１５】
請求項１３又は１４に記載の受信機において、
前記デマルチプレクサ手段が前記送信信号からデータ圧縮された低域濾波されたバージョンの前記デジタル情報信号を取得するように適応され、
データ伸張された低域濾波されたバージョンの前記デジタル情報信号を得るためにデータ伸張手段を備えたことを特徴とする受信機。
【請求項１６】
請求項１３乃至１５の何れか一項に記載の受信機において、
前記デジタル情報信号を前記第１サンプリング周波数でＤ／Ａ変換するＤ／Ａ変換手段を有することを特徴とする受信機。
【請求項１７】
請求項１３乃至１６の何れか一項に記載の受信機において、
前記濾波手段が適応予測フィルタ手段であることを特徴とする受信機。
【請求項１８】
請求項１７に記載の受信機において、
前記デマルチプレクサ手段が、前記送信信号からの前記適応予測フィルタ手段用の前記フィルタ係数の取り出しに適応されることを特徴とする受信機。
【請求項１９】
請求項１４又は１５に記載の受信機において、
前記データ伸張手段が、エントロピ復号化手段を有することを特徴とする受信機。
【請求項２０】
請求項１４又は１５に記載の受信機において、
前記データ伸張手段が、エントロピ復号化手段及び第２予測フィルタ手段を有することを特徴とする受信機。
【請求項２１】
請求項１９又は２０の何れか一項に記載の受信機において、
前記エントロピ復号化手段が、ハフマン復号器を有することを特徴とする受信機。
【請求項２２】
送信媒体を介して特定の第１サンプリング周波数を有するデジタル情報信号を送信する方法において、
前記特定の第１サンプリング周波数を有する前記デジタル情報信号を受信するステップと、
前記第１サンプリング周波数よりも低い特定の第２サンプリング周波数を有する低域濾波されたバージョンの前記デジタル情報信号を得るために、前記デジタル情報信号を低域濾波及びダウンサンプリングするステップと、
前記低域濾波及びダウンサンプリングするステップにおいて前記デジタル情報信号に対して実施される信号処理と同様の信号処理を前記デジタル情報信号に実施し、次いで、前記第１サンプリング周波数に略々等しい特定の第３サンプリング周波数を有するアップサンプリングされたバージョンの前記デジタル情報信号を得るため、アップサンプリングするステップと、
第２の濾波されたバージョンの前記デジタル情報信号を得るために前記アップサンプリングされたバージョンの前記デジタル情報信号の濾波を実施し、
差信号を得るために前記デジタル情報信号と前記第２の濾波されたバージョンの前記デジタル情報信号とを合成するステップと、
前記送信媒体を介して送信する送信信号を得るために前記低域濾波されたバージョンの前記デジタル情報信号と前記差信号とを合成するステップと、
を有する方法。
【発明の詳細な説明】
技術分野
本発明は、特定の第１サンプリング周波数を有するデジタル情報信号を送信する送信機と、送信媒体から送信信号を受信しデジタル情報信号を生成する受信機と、記録担体に情報を記録する装置の形態の場合の送信機で得られる記録担体と、送信方法とに関する。
背景技術
従来の送信機は、上述の第１サンプリング周波数よりも小さい特定の第２サンプリング周波数を有するデジタル情報信号の送信に利用される。対応する受信機は、送信信号から第２サンプリング周波数を有するデジタル情報を取得して、一つ又は複数の拡声器を介して再生するために出力にこの信号を供給することが可能である。
発明の開示
本発明は、送信信号の形式の拡張を提供するものである。この結果、従来の受信機が依然として第２サンプリング周波数を有するデジタル情報の受信及び処理が可能であると同時に、第１サンプリング周波数のデジタル情報信号の送信が可能となる。
本発明の送信機は、
前記特定の第１サンプリング周波数を有する前記デジタル情報信号を受信する入力手段と、
前記第１サンプリング周波数よりも低い特定の第２サンプリング周波数を有する低域濾波されたバージョンの前記デジタル情報信号を得るために前記デジタル情報信号の低域濾波及びダウンサンプリングを実施する第１フィルタ手段と、
前記第１フィルタ手段により前記デジタル情報信号に対して実施される信号処理と同様の信号処理を前記デジタル情報信号に実施し、次いで、前記第１サンプリング周波数に略々等しい特定の第３サンプリング周波数を有するアップサンプリングされたバージョンの前記デジタル情報信号を得るため、前記特定の第２サンプリング周波数を有する前記低域濾波されたバージョンの前記デジタル情報信号をアップサンプリングする第２フィルタ手段と、
第２の濾波されたバージョンの前記デジタル情報信号を得るために前記アップサンプリングされたバージョンの前記デジタル情報信号の濾波を実施する第３フィルタ手段と、
差信号を得るために前記デジタル情報信号と前記第２の濾波されたバージョンの前記デジタル情報信号とを合成する第１信号合成手段と、
前記送信媒体を介した送信用の送信信号を得るために前記低域濾波されたバージョンの前記デジタル情報信号と前記差信号とを合成する第２信号合成手段とを有する。
本発明の受信機は、
前記送信媒体から前記送信信号を取得する取得手段と、
前記送信信号から前記低域濾波されたバージョンの前記デジタル情報信号及び前記差信号を取り出すデマルチプレクサ手段と、
前記第１サンプリング周波数に略々等しい特定の第３サンプリング周波数を有するアップサンプリングされたバージョンの前記デジタル情報信号を得るため、前記低域濾波されたバージョンの前記デジタル情報信号をアップサンプリングするアップサンプリング手段と、
濾波されたバージョンの前記デジタル情報信号を得るために前記アップサンプリングされたバージョンの前記デジタル情報信号の濾波を実施するフィルタ手段と、
前記デジタル情報信号を得るために、前記濾波されたバージョンの前記デジタル情報信号と前記差信号とを合成する信号合成手段とを有する。
本発明は次のような認識に基づくものである。本発明の送信機は、第１サンプル周波数（サンプリングレート）fs1よりも低い第２サンプリング周波数fs2を有する低域濾波及びダウンサンプリングされたバージョンのデジタル情報信号を得るため、第１サンプリング周波数fs1を有するデジタル情報信号を低域濾波及びダウンサンプリングする。例として、fs2がfs1／２に等しく選択されることができる。この低域濾波及びダウンサンプリングされた信号は送信媒体を介して送信され、そして第２サンプリング周波数を有するデジタル情報信号の受信及び処理が可能な従来の受信機により受信及び処理が可能である。
さらに送信機には第２フィルタ手段が設けられる。この第２フィルタ手段は、前記第１フィルタ手段により前記デジタル情報信号に対して実施される信号処理と同様の信号処理を前記デジタル情報信号に実施し、次いで、前記第１サンプリング周波数に略々等しい特定の第３サンプリング周波数を有するアップサンプリングされたバージョンの前記デジタル情報信号を得るため、前記特定の第２サンプリング周波数を有する前記低域濾波されたバージョンの前記デジタル情報信号をアップサンプリングすることができる。この処理を実現するいくつかの素子は、第１及び第２フィルタ手段に共通していても良い。
得られたアップサンプリングされた信号は、次いで、濾波された信号を得るため、第３フィルタ手段に供給される。第３フィルタ手段の実現に依存して、オリジナルデジタル情報信号の低周波成分の複製が生成されるか、又はデジタル情報信号自体により近い信号が生成される。この信号は差信号を得るために引き続きオリジナルデジタル情報信号から減算される。差信号のデータ量は一般に比較的少ない。このデータ量をさらに削減するため圧縮が差信号に対して実施されることも可能である。この差は送信媒体を介して同様に送信される。
本発明による受信機は、送信された２つの信号成分の取得及びこれら情報成分からのデジタル情報信号の複製の再生が可能である。
本発明の上述の目的及びさらなる目的は、図面を参照して以下に説明される実施例から明らかになるであろう。
【図面の簡単な説明】
第１図は、送信機の第１実施例を示す図である。
第２図は、受信機の第１実施例を示す図である。
第３図は、第１図の送信機により生成された送信信号を受信する従来の受信機を示す図である。
第４図は、送信機の第２実施例を示す図である。
第５図は、受信機の第２実施例を示す図である。
第６図は、送信機のデータ圧縮ユニットの他の実施例を示す図である。
第７図は、受信機のデータ伸張ユニットの他の実施例を示す図である。
第８図は、記録装置の形態の送信機を示す図である。
第９図は、再生装置の形態の受信機を示す図である。
発明を実施するための最良の形態
第１図は、送信機の実施例を示す図である。この送信機は、第１サンプリング周波数fs1でサンプリングしたワイドバンドデジタルオーディオ信号等のデジタル情報信号を受信する入力端子１を有する。このデジタル情報は、fs1／２の帯域を有するデジタル情報信号のアナログバージョンをA/Dコンバータ４の出力２に供給することにより得られたものであって良い。A/Dコンバータ４は、入力２に供給された信号をサンプリング周波数fs1でサンプリングし、そして送信機の入力端子１にデジタル化されたサンプルを供給する。入力端子１は、ローパスフィルタ及びダウンサンプリングユニット８の入力６に結合されている。このユニット８は、カットオフ周波数fpを有するローパスフィルタ１０とダウンサンプリング器１２とを有する。このローパスフィルタ１０は、入力に供給された信号を濾波し、信号中の周波数ｆpより低い信号成分を出力に送信する。低域濾波された信号は、サンプリング周波数fs1をまだ有する。ダウンサンプリング器１２は、毎回、入力に供給された信号中のＮ個の連続サンプルの連続グループからN-1個の連続サンプルを削除し、ユニット８の出力１４に残りのサンプルを供給する。出力１４における出力信号は、サンプリング周波数fs2を有する。ここで、fs2＝fs1／Ｎである。
例として、fs1を192kHz、Ｎ＝２の選択が可能で、このとき結果としてfs2は９６kHzとなる。従って、fpは最大で４８kHzとなるはずであるが、より低いカットオフ周波数も等しく選択可能である。
出力１４に存在する低域濾波及びダウンサンプリングされた信号は、アップサンプリング器２２の入力のみならず合成ユニット２０の入力１８にも供給される。アップサンプリング器２２は、入力に供給された信号を係数Ｎでアップサンプリングする。すなわち、Ｎ個のゼロ振幅サンプルが、アップサンプリング器２２の入力に供給された信号中の２つの連続するサンプルの各々の間に挿入される。したがって、アップサンプリング器２２の出力２４に存在する信号は、オリジナルデジタル情報信号と同様のサンプリング周波数を有する。アップサンプリング器２２の出力２４は、フィルタユニット２８の入力２６に結合される。
なお、素子１０，１２，２２の回路構成は他の方法でも実現可能であることに注意されたい。一例として、フィルタ８において素子１０と１２との順番を変えることが可能である。さらなる例として、素子１０，１２の順番は第１図に示した状態で、アップサンプリング器２２を、フィルタ１０の出力１６に結合された入力を有しかつ、毎回、フィルタ１０の出力信号のＮ個の連続するサンプルの連続するグループ中のN-1個の連続サンプルをゼロ振幅に設定するユニットに置き換えることも可能である。この信号処理は、ダウンサンプリング器１２及びアップサンプリング器２２の直列配置と同様の効果を有する。
フィルタユニット２８の出力３０は、この例では減算器の形態である、信号合成ユニット３４の第１入力３２に結合される。合成ユニット３４の第２入力３６は、送信機の入力端子１に結合される。合成ユニット３４の出力３８は、信号合成ユニット２０の入力４６に結合される。信号合成ユニット２０は、入力１８，４６に供給された信号を送信媒体TRMを介した送信に適するシリアルデータストリームに合成する。合成ユニット２０におけるこの信号合成工程は、既知のチャネル符号化工程を含んでも良い。
フィルタユニット２８は、固定フィルタであっても良い。しかし、このフィルタユニット２８は従来既知の適応予測フィルタの形態であってもよい。この場合フィルタユニット２８は、予測フィルタ係数を発生する。この係数も、後に説明される送信機における対応する適応予測フィルタを制御するために送信されるべきである。フィルタユニット２８は、適応予測形態の場合、送信媒体TRMを介して係数を送信するため、合成ユニット２０にフィルタ係数を供給する目的で合成ユニット２０の他の入力５０に結合された出力４８を有する。
上述の送信機の機能は、次のようなものである。デジタル情報信号は、サンプリング周波数fs1のサンプリングレートで入力端子１に供給され、そして１秒当たりサンプルfs1個のレートでローパスフィルタユニット８に供給される。この例において、fs1は１９２kHzに等しいものと仮定される。ローパスフィルタ１０は最大で４８kHzに等しいと仮定されるカットオフ周波数ｆｐを有する。ローパスフィルタ１０は即ち、デジタル情報信号の低周波成分以外を濾波し、そして１秒当たりfs1個のサンプルのレートで、ダウンサンプリング器１２に低域濾波されたバージョンを供給する。ダウンサンプリング器１２は係数２により出力に供給された信号をダウンサンプリングするように適応される。これは２つのサンプル毎に１つが削除されることを意味する。ダウンサンプリング器１２は、９６kHzであるレートfs1／２で低域濾波されたバージョンのダウンサンプルしたバージョンを合成ユニット２０の入力１８およびアップサンプリング器２２の入力に供給する。アップサンプリング器２２はこの例において、係数２により入力に供給された信号をアップサンプリングし、この結果サンプルレートをfs1に回復する。
フィルタユニット２８は、入力端子１に供給したデジタル情報信号の少なくとも低周波成分を入力２６に供給された信号に応じて予測する機能を有する。減算ユニット３４は、入力２６に供給された広帯域デジタル情報信号から、予測フィルタユニット２８により生成された低周波成分を減算する。この結果、減算ユニット３４の出力３８には、差信号としてデジタル情報信号の高周波成分のみが生じる。
デジタル情報信号の高周波成分は一般に、低い情報量を有する。この結果、送信媒体の帯域の比較的狭い部分が高周波成分を送信するために要求される。
フィルタユニット２８が適応予測形式の場合、フィルタユニット２８は、更に、デジタル情報信号自体を発生することを意図されている。この様な機能を実現するため、フィルタユニット２８はこの様な予測を発生するためにデジタル情報信号自体に関する情報を要求するか、又は、差信号を最小にするために差信号に関する情報を要求する。得られた差信号は、より一層少ない情報内容を持つ。
前述のように、フィルタユニット２８が適応予測フィルタであるならば、フィルタは自身のフィルタ係数を演算し、これらのフィルタ係数（種々の形態）を出力４８、即ち信号合成ユニット２０の入力５０に供給する。
合成ユニット２０は、自己の入力に供給された信号を合成して送信媒体TRMを介した送信に適するシリアルデータストリームにする。信号合成ユニット２０の機能はよく知られているので、信号合成ユニット２０のより詳細な説明は行われない。
送信媒体TRMは、放送チャネルや磁気もしくは光学記録担体のような記録担体であっても良い。送信信号は送信媒体TRMを介して受信機に送信される。
第２図は、送信信号を受信しかつ、該送信信号からオリジナルデジタル情報信号の複製を再生する受信機の実施例を示す図である。
送信信号TRMはデマルチプレクサユニット６２の入力を介して受信される。デマルチプレクサユニット６２は、送信信号からデジタル情報信号の低域濾波及びダウンサンプリングされたバージョンを取得することができ、この信号を９６kHzであるサンプルレートfs2でアップサンプリング器７０に供給する。アップサンプリング器７０は、係数２により入力に供給された信号をアップサンプリングし、そして信号のサンプリングレートをfs1に復元する。得られた信号は、フィルタユニット７２の入力に供給される。フィルタユニット７２の出力７６は、加算ユニットの形態の信号合成ユニット８０の第１入力７８に結合される。
デマルチプレクサユニット６２の他の出力６６は、加算ユニット８０の第２入力８２に結合される。デマルチプレクサユニット６２は、送信信号から差信号を取得して該取得された信号を出力６６に供給することができる。加算ユニット８０の出力８６は、必要ならばＤ／Ａコンバータ８８を介して受信機の出力９０に結合される。受信機は更に第２のＤ／Ａコンバータ（示されない）を備えてもよく、これはデマルチプレクサ６２の出力に結合された入力と、他の出力端子に結合された出力とを有する。
第２図の受信機の機能は、次のようなものである。デマルチプレクサユニット６２は、デジタル情報信号のダウンサンプリングされた低周波成分を取得し、出力６４にこの信号を供給する。
fs2のサンプリングレートを持つダウンサンプリングされた低周波成分は、アップサンプリングユニット７０に供給される。アップサンプリングユニット７２は、入力に供給された信号の２つの連続するサンプルの各々の間にゼロ値サンプルを加えることにより、係数２で再び入力に供給された信号をアップサンプリングする。このとき出力に発生した信号はサンプリングレートfs1を有する。
送信機のフィルタユニット２８と同様に、フィルタユニット７２は、入力に供給された信号に応答してオリジナルデジタル情報信号の少なくとも低周波成分を予測する機能を有する。サンプリングレートfs1の得られた信号は、加算ユニット８０の入力７８に供給される。
フィルタユニット７２が適応予測フィルタの場合、所望の形状にフィルタを設定するフィルタ係数を必要とする。この様な実施例の受信機においては、デマルチプレクサユニット６２は、送信信号から、送信機の予測フィルタ２８により生成されたフィルタ係数を取得して、これら係数を、予測フィルタ７２の入力９６に結合された出力６８に供給することができる。
デマルチプレクサユニット６２は同様に、送信信号からデジタル情報信号の高周波成分に関連する差信号を取得し、加算ユニット８０の入力８２に差信号を供給することができる。加算ユニット８０は、入力７８，８２に供給された信号成分を合成し、そしてサンプリングレートfs1で出力８６にオリジナルデジタル情報信号の複製を供給する。設けられてもよいＤ／Ａコンバータ８８は、周波数fs1で制御され、そしてデジタル情報信号の複製を帯域fs1／２のアナログ信号に変換する。
第３図に示した従来の受信機は、デマルチプレクサ６２′を備え、これは、送信媒体TRMを介して送信された送信信号からサンプリング周波数fs2のデジタル情報信号の低周波成分を取得することができる。受信機は周波数fs2で制御されるＤ／Ａコンバータ９２を有する。この結果、帯域fs2／２のデジタル情報信号の低周波成分のアナログバージョンが出力９４に供給される。
第４図に送信機の他の実施例を示す。第４図の送信機は、第１図の送信機に非常に類似している。第１図に示された素子に加えて第４図の送信機は、減算ユニット３４の出力と合成ユニット２０の入力４６との間に結合されたデータ圧縮ユニット４２を示す。データ圧縮ユニット４２は、より一層少ないデータ量のデータ圧縮差信号を得るため入力に供給された信号のデータ圧縮を実現する。
データ圧縮ユニット４２は、既知のハフマン符号器のようなエントロピ符号器を有しても良い。第６図に示されたデータ圧縮ユニット４２の他の例において、圧縮ユニット４２′は予測フィルタ５６とハフマン符号器５８とを有する。
上述の圧縮ユニット４２又は４２′で実現されるデータ圧縮は、ロスのない圧縮（ロスレス圧縮）という呼び名で既知である。
送信機はさらに、デジタル情報信号のダウンサンプルされた低周波成分のデータ圧縮を実現するため、フィルタユニット８の出力１４と合成ユニット２０の入力１８との間に結合された圧縮ユニット５２を備えても良い。
データ圧縮ユニット５２は、既知のハフマン符号器のようなエントロピ符号器又は第６図を参照して説明した予測フィルタとハフマン符号器との組み合わせを有しても良い。
第５図は受信機の他の実施例を示す図である。第５図の受信機は第２図の受信機と良く似ている。第２図の素子に加えて、第５図の受信機は、デマルチプレクサユニット６２の出力６６と加算ユニット８０の入力８２との間に結合されたデータ伸張ユニット８４を示している。データ伸張ユニット８４は、データが伸張された差信号を得るために、入力に供給された信号のデータ伸張を実現する。
データ伸張ユニット８４は、既知のハフマン復号器のようなエントロピ復号器を有しても良い。第７図に示したデータ伸張ユニット８４の他の例において、伸張ユニット８４′は、ハフマン復号器９８と予測フィルタ100とを有する。
受信機はさらに、デジタル情報信号のデータ圧縮されかつ、ダウンサンプリングされた低周波成分のデータ伸張を実現するため、デマルチプレクサユニット６２の出力６４とアップサンプリング器７０の入力との間に結合されたデータ伸張ユニット102を備えても良い。
データ伸張ユニット102は、既知のハフマン復号器のようなエントロピ復号器又は第７図を参照して説明したようなハフマン符号器と予測フィルタとの組み合わせを有しても良い。
第８図は、記録担体にデジタル情報信号を記録する装置の形態で送信機を示す図である。第８図に示した回路ブロック102は、第１又は第４図の回路ブロックを置換したものである。第８図の記録装置の入力端子１は、即ち、第１及び第４図の入力端子１に対応し、第８図の端子２１は、第１及び第４図の信号合成ユニット２０の出力２１に対応する。記録装置はさらに、記録担体108に端子２１に存在する出力信号を書込む書込手段104を有する。記録担体108は磁気形式のものであっても良い。この場合、書込手段104は、記録担体のトラックに情報を書込むための一つ又は複数のヘッド106を有する。他の実施例において、記録担体108は、光学記録担体である。書込手段はこの場合、記録担体のトラックに情報を書込むための光学書込ヘッドを有する。書込手段104は一般に、記録の前に記録されるべき信号をチャネル符号化するチャネル符号化ユニットを有する。
第９図は、記録担体からデジタル情報信号を再生する装置の形態の受信機を示す図である。第９図に示した回路ブロック114は第２又は図５の回路図を置換したものである。第９図の再生装置の端子６０は第２及び第５図のデマルチプレクサユニット６２の入力６０に対応するもので、第９図の出力端子９０は第２及び第５図の受信機の出力端子９０に対応するものである。再生装置はさらに記録担体108に記録された信号を読みとりかつ、入力６０から読みとった信号を供給する読取手段112を有する。記録担体108は磁気形式であっても良い。この場合、読みとり手段112は、記録担体のトラックから情報を読みとる一つ又は複数の磁気ヘッド110を有する。他の実施例では、記録担体108は光学記録担体である。この場合読みとり手段112は、記録担体のトラックから情報を読みとる光学ヘッドを有する。読取手段112は一般に、さらなる信号処理の前に記録担体から読みとった信号をチャネル復号化するチャネル復号ユニットを有する。
上述の本発明の特徴は、受信の際に異なった周波数範囲の出力信号が取得可能であるということで、一般名周波数スケーラビリティに該当する。
しかしながら本発明は、望ましい実施例を参照して説明されたが、これらの実施例に限定されないことに注意されたい。即ち、当業者は、請求項により規定される本発明の範囲から逸脱することなく、種々の変形例を実現できるであろう。
さらに本発明は、新規な特徴のそれぞれもしくはこれら特徴の組み合わせ毎に存在する。
【図１】
0004505565.tif 000002
【図２】
0004505565.tif 000003
【図３】
0004505565.tif 000004
【図４】
0004505565.tif 000005
【図５】
0004505565.tif 000006
【図６】
0004505565.tif 000007
【図７】
0004505565.tif 000008
【図８】
0004505565.tif 000009
【図９】
0004505565.tif 000010